(57)【要約】【課題】装置を小型にするとともに被記録材のセット性を向上させる。【解決手段】画像読取記録装置２００は、装置本体と、装置本体内に設けられて記録シートに画像を記録するプリンタと、装置本体の外部に設けられて、プリンタに送り込まれる記録シートが積載される記録シート積載面２１４ｃが傾斜した圧板２１４と、圧板２１４に積載された記録シートを、記録シートの搬送方向に対して交差する方向から整合する少なくとも一方が移動可能な１対の圧板２１４及びスライダ２１３と、移動可能なスライダ２１３に突設した爪と、爪が選択的に係合して移動可能な圧板２１４及びスライダ２１３の位置決めをするラッチ部２１４ｂと、を備え、ラッチ部２１４ｂの上面が、装置本体の設置面と記録シート積載面２１４ｃとの間の角度で記録シート積載面２１４ｃと同じ方向に傾斜している。【選択図】      図４
2004231369.tif 000002
【特許請求の範囲】
【請求項１】
装置本体と、
前記装置本体内に設けられて被記録材に画像を記録する画像記録手段と、
前記装置本体の外部に設けられて、前記画像記録手段に送り込まれる前記被記録材が積載される被記録材積載面が傾斜した被積載部材と、
前記被積載部材に積載された被記録材を、前記被記録材の搬送方向に対して交差する方向から整合する少なくとも一方が移動可能な１対の整合部材と、
前記移動可能な整合部材に突設した係合部と、
前記係合部が選択的に係合して前記移動可能な整合部材の位置決めをする被係合部と、を備え、
前記被係合部の上面が、前記装置本体の設置面と前記被記録材積載面との間の角度で、前記被記録材積載面と同じ方向に傾斜していることを特徴とする画像記録装置。
【請求項２】
前記１対の整合部材の内、移動可能な整合部材は、前記被係合部の上面に対してほぼ直角に設けられて、ユーザが指を掛ける被指掛け片を有していることを特徴とする請求項１に記載の画像記録装置。
【請求項３】
前記被係合部の上面と前記被記録材積載面との間の角度が約４５度であることを特徴とする請求項１に記載の画像記録装置。
【請求項４】
前記係合部が爪片であり、被係合部がラッチ部であることを特徴とする請求項１に記載の画像記録装置。
【発明の詳細な説明】
【０００１】
【発明の属する技術分野】
本発明は、ファクシミリ、複写機、プリンタ、及びこれらの複合機などの画像記録装置、特に、画像が記録される被記録材を画像記録前において整合しやすくした画像記録装置に関する。
【０００２】
【従来の技術】
近年、家庭において、パーソナルコンピュータ（以下、「パソコン」という）が普及され、これにともなって、プリンタやスキャナも普及されてきている。さらに、パソコン、モニタ、プリンタ、スキャナ等の各種機器を設置するスペース的な制限により、プリンタとスキャナとを一体にして、コピー機能やファクシミリ機能まで兼ね備えた画像記録装置の一例である画像読取記録装置も発売されている。
【０００３】
この種の画像読取記録装置の一例であるファクシミリを図５、図６に基づいて説明する。図５は、従来の画像読取記録装置の一例であるファクシミリの外観斜視図である。図６は、図５のファクシミリの要部断面図である。
【０００４】
図６において、インクジェット記録装置である記録ユニットＡは、被記録材（以下、「被記録紙」と言う）Ｓに、例えば、定形のカット紙に画像を記録（形成）するようになっている。読取ユニットＢは、画像を記録された記録材（以下、「原稿」と言う）Ｄの画像を光学的に読み取るようになっている。給紙ユニットＣは、積載された被記録紙を分離して記録ユニットＡに供給するようになっている。
【０００５】
（被記録材（被記録紙）の流れの説明）
矢印Ｇは、一連の被記録紙搬送経路を示している。被記録紙は、圧板５０上に収納される。圧板５０は、複数枚重ねてオートシートフィーダ５６に回動可能に設けられている。オートシートフィーダ５６は、スライダ５１によってサイズに合わせられた被記録紙の側面を案内するようになっている。
【０００６】
まず、オートシートフィーダ５６に収納積載された被記録紙は、圧板５０が不図示のモータの回転によって傾動することによって、給紙ローラ５２に押圧されて、不図示の分離爪によって１枚だけ分離されて搬送される。その後、被記録紙は、搬送ローラ５３と、この搬送ローラ５３に対向して配置されたころ５４とによって挟持搬送される。
【０００７】
記録ユニットＡは、被記録紙に画像を記録（形成）する記録ヘッド１と、記録ヘッド１の下流側に配設されて、画像を記録された被記録紙を装置本体６０の下流側に搬送する排紙ロ−ラ９及び拍車８等を備えている。拍車８は、排紙ロ−ラ９に対向して配設され、被記録紙の印字面に接触してもインクが転写されることの無い材質で星型に形成されている。記録ヘッド１によって画像を記録された被記録紙は、排紙ロ−ラ９と拍車８とによって搬送されて装置本体６０の下部に設けた被記録紙排紙トレイ５５上に排出される。
【０００８】
なお、ユーザによって、開閉可能なカバ−２３を開くと、記録ヘッド１の交換に必要な空間が開放されるようになっている。
【０００９】
（記録材（原稿）の流れの説明）
矢印Ｆは、一連の原稿搬送経路を示している。原稿は、原稿積載トレイを兼ねる装置本体６０のカバー２３上に１枚または複数枚、幅方向をスライダ４０で規制されつつセットされると、原稿の有無を検知する不図示の原稿有無センサによってその存在を検知される。次に、ユーザによって、送信時、コピー時ともにそれぞれ不図示のスタートボタンが押されると、原稿は、駆動源である不図示のステッピングモ−タにより回転される分離ロ−ラ３３と予備搬送押圧アーム３２とによって挟持されて先端が捌かれる。
【００１０】
その後、原稿は、複数枚重なっているような場合、分離ロ−ラ３３と摩擦片ユニット３４とによって構成される分離部で１枚ずつに分離されて、不図示のステッピングモ−タにより回転する給紙ロ−ラ３５及び給紙ローラ３５に対向する給紙ころ３６によって挟持搬送される。そして、原稿の先後が不図示の原稿先後端センサによって検知される。
【００１１】
その後、原稿の画像は、原稿読取デバイスであるコンタクトセンサ３７によって読み取られる。そして、原稿の後端が原稿先後端センサによって検知される。
最後に、原稿は、排紙ロ−ラ３８と排紙ころ３９とによって挟持搬送されて、原稿排紙トレ−を兼ねる装置本体６０のカバ−３１上に積載される。排紙ロ−ラ３８は、ステッピングモ−タにより回転するようになっており、原稿先後端センサが原稿の先端を検知した検知信号に基づいて所定量回転するようになっている。
排紙ころ３９は前記排紙ロ−ラ３８と対向する配置に配設してある。
【００１２】
【発明が解決しようとする課題】
従来のファクシミリ６１は、図５、図６に示すように、読取ユニットＢを記録ユニットＡの上方で、かつ原稿の搬送方向の下流側にずらして配設してあるので、スライダ５１の視認性、操作性が良く、圧板５０に被記録紙をセットしやすかった。
【００１３】
しかし、ファクシミリ６１を小型にするため、読取ユニットＢを記録ユニットＡの上方に配設すると、スライダ５１の一部分が読取ユニットＢに隠れて、スライダ５１の視認性、操作性が悪くなり、圧板５０に被記録紙をセットしにくくなるおそれがある。
【００１４】
また、上記従来のファクシミリ６１は、読取ユニットＢが、移動する原稿を読み取るいわゆるシートスルー方式と呼ばれている原稿移動型であるため、比較的小型に形成することができる。しかし、原稿を固定して読み取る、いわゆるフラットベットスキャナーと呼ばれる原稿固定式の読取方式では、読取ユニットが大型になり、さらにスライダ５１の操作性は悪くなるおそれがある。
【００１５】
本発明は、装置を小型にするとともに被記録材のセット性を向上させた画像記録装置を提供することを目的としている。
【００１６】
【課題を解決するための手段】
上記目的を達成するため、本発明の画像記録装置は、装置本体と、前記装置本体内に設けられて被記録材に画像を記録する画像記録手段と、前記装置本体の外部に設けられて、前記画像記録手段に送り込まれる前記被記録材が積載される被記録材積載面が傾斜した被積載部材と、前記被積載部材に積載された被記録材を、前記被記録材の搬送方向に対して交差する方向から整合する少なくとも一方が移動可能な１対の整合部材と、前記移動可能な整合部材に突設した係合部と、前記係合部が選択的に係合して前記移動可能な整合部材の位置決めをする被係合部と、を備え、前記被係合部の上面が、前記装置本体の設置面と前記被記録材積載面との間の角度で前記被記録材積載面と同じ方向に傾斜している。
【００１７】
本発明の画像記録装置における、前記１対の整合部材の内、移動可能な整合部材は、前記被係合部の上面に対してほぼ直角に設けられて、ユーザが指を掛ける被指掛け片を有している。
【００１８】
本発明の画像記録装置における、前記被係合部の上面と前記被記録材積載面との間の角度が約４５度である。
【００１９】
本発明の画像記録装置における、前記係合部が爪片であり、被係合部がラッチ部である。
【００２０】
【発明の実施の形態】
以下、本発明の実施形態である画像記録装置の一例である画像読取記録装置を図に基づいて説明する。
【００２１】
図１は、本発明の実施形態である画像記録装置の一例である画像読取記録装置の外観斜視図である。図２は、図１の画像読取記録装置の縦断面図である。図３は、図１の画像読取記録装置において、本発明の主要部分である、被記録材が積載される部分の斜視図である。図４は、図２の画像読取記録装置において、被記録材が積載される部分の断面拡大図である。
【００２２】
（画像読取装置全体のレイアウトの説明）
画像読取記録装置２００は、主に、被記録材（以下、「記録シート」と言う）に画像を記録（形成）する画像記録手段である例えばプリンタ２０１と、原稿の画像を読み取る画像読取手段である例えばスキャナ２０２とを備えている。画像読取記録装置２００の装置本体２１０の下部にはプリンタ２０１を配設してある。装置本体２１０の上部にはスキャナ２０２を配設してある。スキャナ２０２は、プリンタ２０１の真上に配設してある。
【００２３】
（操作パネルの説明）
スキャナ２０２の手前側（図１において左側）には、ユーザが複写操作等の各種操作を行う操作パネル２０３を配設してある。操作パネル２０３には、画像読取記録装置２００自体の各種の状態を表示する表示窓２０３ａ、および画像読取記録装置２００自体の各種の設定を行う種々のキー類２０３ｂを設けてある。キー類２０３ｂの種類には、スキャナ、プリンタ、コピー等の動作モードを切り換える切換キー、各種操作を開始させるスタートキー、各種操作を停止させるストップキー、その他各種設定を行うキー等がある。操作パネル２０３は、下部に操作基板２４３を有している。
【００２４】
なお、ホストコンピュータとなるパソコンに接続されるＵＳＢ規格の不図示のＵＳＢコネクタが、装置本体２１０の後方（図１の右側）に配設してある。
【００２５】
（自動給紙ユニットの概略説明）
自動給紙ユニット２１１は、自動給紙ユニット２１１上にユーザによってセットされた複数枚の記録シートを１枚に分離して、プリンタ２０１に１枚ずつ供給するようになっている。補助トレイ２１２は、記録シートの搬送方向のサイズに応じて自動給紙ユニット２１１に差し込んで使用できるようになっている。
【００２６】
スライダ２１３は、圧板２１４上を記録シートと交差する方向に移動可能に、圧板２１４に設けてある。スライダ２１３は、ユーザが記録シートの幅方向のサイズに合わせてスライドさせることによって、自動給紙ユニット２１１にセットされた記録シートの側端部を揃えて、その記録シートの斜行を防ぐようになっている。記録シートの幅方向とは、記録シートの搬送方向に対して直交する方向である。
【００２７】
自動給紙ユニット２１１にセットされた複数枚の記録シートの内、最上位の記録シートは、圧板２１４の上流側を傾動中心にして、下流側が不図示の駆動機構によって押し上げられることによってピックアップローラ２１５に押し当てられる。そして、ピックアップローラ２１５は、図２中、時計方向に回転して、最上位の記録シートを分離ローラ２１６と協働して他の記録シートから分離させて搬送するようになっている。
【００２８】
（プリンタの説明）
プリンタ２０１は、自動給紙ユニット２１１上によって、１枚ずつ供給されてきた記録シートに画像を記録するようになっている。プリンタ２０１は、記録ヘッドからインクを吐出して記録シートＳにインク像を記録するインクジェット記録方式の、いわゆるシリアルプリンタである。
【００２９】
記録シートは、さらに、搬送ローラ２１７とピンチローラ２１８とによって、インクジェットヘッド２２１の下に送り込まれ、画像が記録（形成）される。キャリッジ２２０は、キャリッジシャフト２１９に案内されて図２の図面に対して垂直方向（図２の紙面の表裏方向、主走査方向）に不図示のモータによって往復移動するようになっている。
【００３０】
プリンタ２０１は、キャリッジ２２０上に黒、シアン、マゼンタ、イエローの各色のインク入りの４つのカートリッジ２２２を交換自在に備えてある。なお、４つのカートリッジ２２２は、図２では重なって１つに見えており、全部のカードリッジ２２２の図示は、省略する。各色のカートリッジ２２２のインクは、インクジェットヘッド２２１に供給するようになっている。
【００３１】
そして、画像が記録された記録シートは、排紙ローラ２２３ａ，２２３ｂと、インク面に影響を与えないようにした拍車ローラ２２４ａ，２２４ｂとによって排紙トレイ２２５上に排出される。
【００３２】
（スキャナの説明）
読み取り部であるスキャナ２０２は、書籍等のブックタイプの原稿の画像を読み取るフラットベッドタイプのスキャナである。スキャナ２０２は、ユーザが圧板２３１を図２中矢印Ｋ方向に開くことによって、露出したスキャナ２０２上部の原稿ガラス２３２上に、ユーザによって載置された原稿を読み取るようになっている。
【００３３】
図２において、スキャナ２０２は、原稿ガラス２３２にユーザによって載置された原稿の画像を読み取る読取ユニットであるコンタクトセンサ（ＣＳ）２３５によって原稿を読み取るようになっている。コンタクトセンサ（ＣＳ）２３５は、コンタクトセンサホルダ２３４に搭載されている。コンタクトセンサホルダ２３４は、ガイドシャフト２３３に案内されて図２の紙面対して垂直方向（図２の紙面の表裏方向）に不図示のモータによって往復移動するようになっている。
【００３４】
（電源の説明）
電源２４１は、画像読取記録装置２００の各部へ電力を供給するようになっている。主基板２４２は画像読取記録装置２００の記録動作、読取動作等の各駆動源であるモータの駆動ドライバＩＣや各種電気素子を搭載してある。
【００３５】
（自動給紙ユニットの詳細な説明）
図３に示すように、記録シートは、ユーザによって、圧板２１４および補助トレイ２１２上に記録される被記録面を上向きにして積載される。このとき、記録シートの一方の端部を圧板２１４の側面２１４ａに突き当てるようにして積載することで、インクジェットヘッド２２１に対する記録シートの主走査方向の位置決めがなされる。スライダ２１３は、ユーザに図中矢印Ｅ方向に押されて、圧板２１４上を移動し、記録シートの他方の端部の位置決めをするようになっている。すなわち、記録シートは、スライダ２１３によって矢印Ｅ方向に押されて、圧板２１４の側面２１４ａに押し付けられ、スライダ２１３と側面２１４ａとによって幅整合をされるようになっている。したがって、自動給紙ユニット２１１にセットされた記録シートは、側端部を揃えて、その記録シートの斜行を防止するようになっている。
【００３６】
なお、圧板２１４もスライダ２１３と同様にシート搬送方向に対して交差する方向に移動できるようにしてもよい。この場合、圧板２１４にもラッチ部２１４ｂに係合する爪を形成する必要がある。また、圧板２１４とスライダ２１３は、１対の整合部材の一例である。
【００３７】
このとき、スライダ２１３は、圧板２１４に形成したラッチ部２１４ｂに、スライダ２１３に形成した先端Ｖ字状の爪２１３ａを係合させることによって、選択的に所望の位置に固定されるようになっている。ラッチ部２１４ｂは、記録シートの搬送方向に沿って突出した山形状の突条を記録シートの幅方向に複数配列して形成されている。すなわち、ラッチ部２１４ｂは、Ｖ字状の溝が複数配列されていることになる。なお、ラッチ部２１４ｂは、被係合部の一例である。爪２１３ａは、係合部、及び係合片の一例である。
【００３８】
待機状態の圧板２１４の記録シート積載面２１４ｃは、画像読取記録装置２００（図２参照）の設置面Ｇと平行な直線Ｌに対して、図４に示すように、約５９度傾斜している。設置面Ｇは、水平面であることが多い。また、ラッチ部２１４ｂは、記録シート積載面２１４ｃと同じ方向に傾斜して、記録シート積載面２１４ｃと直線Ｌとの間に位置している。この場合、ラッチ部２１４ｂの上面と、圧板２１４の記録シート積載面２１４ｃとの間の角度は、約４５度に設定してある。圧板２１４は、被積載部材の一例である。記録シート積載面２１４ｃは、被記録材積載面の一例である。なお、ラッチ部２１４ｂの上面と、圧板２１４の記録シート積載面２１４ｃとの間の角度は、４５度に限定されるものはなく、記録シート積載面２１４ｃと直線Ｌとの間の角度未満、すなわち、５９度未満であればよい。
【００３９】
ところで、従来のラッチ部は、圧板の記録シート積載面に対して平行に設けてあったので、スライダの爪の係合を開放するには、圧板の記録シート積載面に対してほぼ垂直方向、つまり水平面より約３１度の傾き方向からスライダを操作できる空間を圧板と装置本体の後部との間に確保しなければならかった。
【００４０】
これに対して、本実施形態の画像読取記録装置２００は、上述したように圧板２１４の記録シート積載面２１４ｃに対するラッチ部の傾きを約４５度に設定してあるため、爪２１３ａの操作方向は直線Ｌに対して、約７６度の方向になる。
すなわち、ユーザがスライダ２１３に指を掛けて、スライダ２１３を傾けて爪２１３ａとラッチ部２１４ｂとの係合を解除するために、スライダ２１３に形成した被指掛け片２１３ｂ（図４参照）は、上記約７６度の方向に向いている。
【００４１】
このため、上記約３１度と約７６度との差分である、約４５度の空間に装置本体２１０の一部分を突出させて、その分だけ、画像読取記録装置２００を小型にすることができる。また、上記約３１度と約７６度との差分だけ、スキャナ２０２の部分を図２、図４において、右に移動させることができて、装置本体２１０の前後方向（奥行き方向）の長さを短くして、画像読取記録装置２００を小型にすることができる。
【００４２】
以上説明したように、本実施形態の画像読取記録装置２００は、装置本体２１０と、装置本体２１０内に設けられて記録シートＳに画像を記録するプリンタ２０１と、装置本体２１０の外部に設けられて、プリンタ２０１に送り込まれる記録シートＳが積載される記録シート積載面２１４ｃが傾斜した圧板２１４と、圧板２１４に積載された記録シートＳを、記録シートＳの搬送方向に対して交差する方向から整合する少なくとも一方が移動可能な１対のスライダ２１３及び圧板２１４と、移動可能なスライダ２１３に突設した爪２１３ａと、スライダ２１３の位置決めをするラッチ部２１４ｂと、を備えており、ラッチ部２１４ｂの上面が、装置本体２１０の設置面Ｇと記録シート積載面２１４ｃとの間の角度で記録シート積載面２１４ｃと同じ方向に傾斜している。
【００４３】
この構成によって、本実施形態の画像読取記録装置２００は、ラッチ部２１４ｂの上面を装置本体２１０の設置面Ｇと記録シート積載面２１４ｃとの間の角度で記録シート積載面２１４ｃと同じ方向に傾斜させてあるので、移動可能なスライダ２１３の操作方向を圧板２１４の記録シート積載面２１４ｃより垂直方向に向けることが可能になり、１対のスライダ２１３と圧板２１４による記録シートの斜行防止と、移動可能なスライダ２１３と圧板２１４の操作性とを向上させることができる。
【００４４】
また、スライダ２１３と圧板２１４の操作方向を圧板２１４の記録シート積載面２１４ｃより垂直方向に向けることによって、装置本体２１０の一部分をスライダ２１３と圧板２１４に接近させることができて、装置本体２１０を小型にすることができる。
【００４５】
さらに、プリンタ２０１の上方に、例えば、原稿Ｄの画像を読み取る画像読取手段を配設してある場合、スキャナ２０２をスライダ２１３と圧板２１４の方に設置位置を変更することができて、画像読取記録装置２００を小型にすることができる。
【００４６】
また、本実施形態の画像読取記録装置２００は、スライダ２１３と圧板２１４の内、移動可能なスライダ２１３は、ラッチ部２１４ｂの上面に対してほぼ直角に設けられて、ユーザが指を掛ける被指掛け片２１３ｂを有している。
【００４７】
このように、本実施形態の画像読取記録装置２００は、移動可能なスライダ２１３に、ラッチ部２１４ｂの上面に対してほぼ直角に設けられて、ユーザが指を掛ける被指掛け片を設けてあるので、スライダ２１３の操作性を良好にすることができる。
【００４８】
【発明の効果】
本発明の画像読取記録装置は、被記録紙のセット性を損なうことなく装置を小型にすることできる。
【図面の簡単な説明】
【図１】本発明の実施形態である画像記録装置の一例である画像読取記録装置の外観斜視図である。
【図２】図１の画像読取記録装置の縦断面図である。
【図３】図１の画像読取記録装置において、本発明の主要部分である、被記録材が積載される部分の斜視図である。
【図４】図２の画像読取記録装置において、被記録材が積載される部分の断面拡大図である。
【図５】従来の画像読取記録装置の一例であるファクシミリの外観斜視図である。
【図６】図５のファクシミリの要部断面図である。
【符号の説明】
Ｓ      記録シート（被記録材）
Ｇ      設置面
Ｄ      原稿（記録材）
Ｌ      設置面の平行な直線
２００      画像読取記録装置（画像記録装置）
２０１      プリンタ（画像記録手段）
２０２      スキャナ（画像読取手段）
２０３      操作パネル
２１０      装置本体
２１１      自動給紙ユニット
２１２      補助トレイ
２１３      スライダ（移動可能な整合部材）
２１３ａ    爪（係合部、係合片）
２１３ｂ    被指掛け片
２１４      圧板（整合部材、被積載部材）
２１４ａ    側面
２１４ｂ    ラッチ部（被係合部）
２１４ｃ    記録シート積載面（被記録材積載面）
【図１】
2004231369.tif 000003
【図２】
2004231369.tif 000004
【図３】
2004231369.tif 000005
【図４】
2004231369.tif 000006
【図５】
2004231369.tif 000007
【図６】
2004231369.tif 000008